(57)【要約】【課題】  従来のエクステンション用人工毛を把持するピンセットは長期に亘る除去剤の使用と払い拭い動作を伴う除去作業の繰り返しによりフッ素樹脂を含む塗料製の表面被覆がピンセット把持部の表面より剥離して移動し易いという問題を解決する。【解決手段】  把持部把持面が好ましい長さ、把持部が好ましい幅、厚さの直線状もしくは湾曲状で対向する平坦な把持部把持面を有し、前記把持部が弾性係数が５〜２０００ＭＰａで把持部把持面での被膜の厚さが１０〜３０μｍの軟質材被膜で被覆され、前記把持部が前記軟質材被膜に対する係止部を有しているピンセットとする。【選択図】図１
2019014034.tif 000002
【特許請求の範囲】
【請求項１】
地まつげへのまつげエクステンション用人工毛装着に使用するまつげエクステンション用人工毛の把持用ピンセットであって、一端が固定された連結部の先に操作部が形成されており、該操作部の先にまつげエクステンション用人工毛を把持する把持部が形成されているピンセットであって、前記把持部が直線状もしくは湾曲状で対向する平坦な把持部把持面を有すると共に前記把持部が軟質材被膜により被覆されていると共に該軟質材被膜に対する係止部を有して構成されていることを特徴とするまつげエクステンション用人工毛の把持用ピンセット。
【請求項２】
前記把持部把持面の長さが２．０〜１０．０ｍｍであり、かつ前記把持部の幅が０．２〜２．０ｍｍであると共に該把持部の厚さが０．１〜１．０ｍｍであることを特徴とする請求項１記載のまつげエクステンション用人工毛の把持用ピンセット。
【請求項３】
前記軟質材被膜の弾性係数が５〜２０００ＭＰａであると共に前記把持部把持面での被膜厚さが１０〜３０μｍであり且つ前記把持部把持面長さより長く被覆されていることを特徴とする請求項１又は２に記載のまつげエクステンション用人工毛の把持用ピンセット。
【請求項４】
前記把持部の把持部側面に深さ０．２〜０．７ｍｍの把持部側面凹部及び高さ０．２〜０．７ｍｍの把持部側面凸部のいずれか又は双方を設けたことを特徴とする請求項１〜３のいずれか１項に記載のまつげエクステンション用人工毛の把持用ピンセット。
【請求項５】
前記把持部の把持部背面に深さ０．２〜０．７ｍｍの把持部背面凹部と高さ０．２〜０．７ｍｍの把持部背面凸部のいずれか又は双方を設けたことを特徴とする請求項１〜４のいずれか１項に記載のまつげエクステンション用人工毛把持用ピンセット。
【請求項６】
前記把持部の把持部周縁に深さ０．２〜０．７ｍｍの条状もしくは環状の把持部周縁溝部を少なくとも１条設けたことを特徴とする請求項１〜５のいずれか１項に記載のまつげエクステンション用人工毛の把持用ピンセット。
【請求項７】
前記把持部に把持部把持面から把持部背面に貫通する直径０．２〜１．５ｍｍの把持部貫通孔を設けたことを特徴とする請求項１〜６のいずれか１項に記載のまつげエクステンション用人工毛の把持用ピンセット。
【発明の詳細な説明】
【技術分野】
【０００１】  本発明は、地まつげへのまつげエクステンション用人工毛装着に使用するまつげエクステンション用人工毛の把持を目的としたピンセットに関し、特に地まつげに対し所望の角度をもって所望本数のまつげエクステンション用人工毛を確実に把持し装着するためのエクステンション用人工毛の把持用の金属製もしくは硬質樹脂製のピンセットに関する。
【背景技術】
【０００２】  従来より地まつげに人工毛を装着して、地まつげの長さを延長することは、地まつげのボリューム感を増大させると共に、目を大きく見せる効果があることが知られており、このような効果を持つまつげ用人工毛は、女性を中心として広く利用されている。【０００３】  利用者は、自身で簡単に取付けることができる、いわゆる、つけまつげと称されるタイプのものを利用する方法、他方では、地まつげ１本１本にまつげエクステンション用人工毛をピンセット（ツイーザーとも云う）にて把持し装着する方法がある。後者の方法においては、より細かい作業が必要となるため、専門の店舗にて技師による施術を受けることが行われている。【０００４】  上記のような施術においては、地まつげに対して所望の位置に所望の角度で所望本数のまつげエクステンション用人工毛をピンセットにより把持しての接着により複数本を装着して、地まつげの長さの延長や本数の増加などの相乗効果によりボリューム感の有るまつげを得ることが出来る。【０００５】  従来、地まつげにまつげエクステンション用人工毛を装着する施術用のピンセットとして、本出願人は下記特許文献１記載の技術を提案している。即ち前記施術時におけるまつげエクステンション用人工毛に対する把持作業に際しては、施術作業中にピンセットの把持部先端及びその周辺部に付着した被把持物又はその一部を溶剤などからなる除去剤を使用しての除去作業を実施することが必須であるが、この除去作業の作業効率を高め、強力な除去剤を使用しないことで、ピンセットの素材を傷めることを防ぎ、且つ人体にも安全に作業することを可能とする、把持部にフッ素樹脂を含む塗料を用いて表面被覆加工を施した表面被覆ピンセットの提案である。【０００６】  しかし、従来のフッ素樹脂を含む塗料を用いて表面被覆加工を施した表面被覆ピンセットにあっては施術作業中及び施術作業終了後にピンセットの把持部先端及びその周辺部に付着した被把持物又はその一部或いは接着剤などの残留物質を溶剤などからなる除去剤を使用しての除去作業を実施するが、これ等残留物質の付着が強固な場合は払い拭い動作を伴うことが多いいこと及びフッ素樹脂の非粘着性・離型性の良さなどの基本特性のために、長期に亘る除去剤の使用と払い拭い動作を伴う除去作業の繰り返しによりフッ素樹脂を含む塗料製の表面被覆がピンセット把持部先端の金属表面より剥離して移動し易いとの問題を有していた。
【先行技術文献】
【特許文献】
【０００７】
【特許文献１】実用新案登録第３１５５６２８号  公報
【発明の概要】
【発明が解決しようとする課題】
【０００８】  本発明は、前記した従来のフッ素樹脂を含む塗料を用いて表面被覆加工のみを施した表面被覆ピンセットにあっては長期に亘る除去剤の使用と払い拭い動作を伴う除去作業の繰り返しによりフッ素樹脂を含む塗料製の表面被覆がピンセット把持部先端の金属表面より剥離して移動し易いという問題を解決するためになされたもので、地まつげへのまつげエクステンション用人工毛装着に使用するまつげエクステンション用人工毛把持用ピンセットを、一端が固定された連結部の先に操作部を形成し、該操作部の先にまつげエクステンション用人工毛を把持する把持部が形成されているピンセットであって、前記把持部が直線状もしくは湾曲状で対向する平坦な把持部把持面を有すると共に軟質材被膜により被覆されていると共に該軟質材被膜に対する係止部を有して構成されているまつげエクステンション用人工毛の把持用ピンセットを提供するものである。
【課題を解決するための手段】
【０００９】  本発明のまつげエクステンション用人工毛の把持用ピンセットは、一端が固定された連結部の先に操作部が形成されており、該操作部の先にまつげエクステンション用人工毛を把持する把持部が形成されている金属製もしくは硬質樹脂製のピンセットであって、前記把持部が直線状もしくは湾曲状で対向する平坦な把持部把持面を有すると共に前記把持部が軟質材被膜により被覆されていると共に該軟質材被膜に対する係止部を有して構成されていることを特徴とするまつげエクステンション用人工毛の把持用ピンセットであり、さらに前記把持部把持面の長さが２．０〜１０．０ｍｍであり、かつ前記把持部の幅が０．２〜２．０ｍｍであると共に該把持部の厚さが０．１〜１．０ｍｍであることを特徴とし、また前記軟質材被膜の弾性係数が５〜２０００ＭＰａであると共に前記把持部把持面での被膜厚さが１０〜３０μｍであり且つ前記把持部把持面長さより長く被覆されていることを特徴とし、さらに前記把持部の把持部側面に深さ０．２〜０．７ｍｍの把持部側面凹部及び高さ０．２〜０．７ｍｍの把持部側面凸部のいずれか又は双方を設けたことを特徴とし、さらにまた前記把持部の把持部背面に深さ０．２〜０．７ｍｍの把持部背面凹部と高さ０．２〜０．７ｍｍの把持部背面凸部のいずれか又は双方を設けたことを特徴とし、さらに前記把持部の把持部周縁に深さ０．２〜０．７ｍｍの条状もしくは環状の把持部周縁溝部を少なくとも１条設けたことを特徴とし、さらにまた前記把持部に把持部把持面から把持部背面に貫通する直径０．２〜１．５ｍｍの把持部貫通孔を設けたことを特徴とすることを好ましい形態とするものである。
【発明の効果】
【００１０】  本発明のまつげエクステンション用人工毛の把持用の金属製もしくは硬質樹脂製のピンセットは把持部把持面が好ましい長さ、把持部が好ましい幅、厚さの直線状もしくは湾曲状で対向する平坦な把持部把持面を有し、かつ前記把持部が弾性係数が５〜２０００ＭＰａで把持部把持面での被膜厚さが１０〜３０μｍの軟質材被膜で前記把持部把持面長さより好ましくは長く被覆されていることにより、軟質材被膜の弾性係数が５ＭＰａ以下の撓みやすい被膜と異なり撓み過ぎることが無いと共に２０００ＭＰａを越えて撓みにくい被膜と異なり撓みが不足してまつげエクステンション用人工毛表面に対する軟質材被膜の接触面積が不足することも無く、また軟質材被膜の把持部把持面での被膜厚さが１０〜３０μｍであることにより被膜厚さが１０μｍ以下で径が２００μｍ程度の太いまつげエクステンション用人工毛に対しては変形量が追随できず把持し難くいことが無いと共に被膜厚さが３０μｍを越えて径が５０μｍ程度の細いまつげエクステンション用人工毛に対して軟質材被膜の変形量が小さいため把持力が正確に伝播しずらく把持し難くなることも無い、即ち径５０〜２００μｍ程度のまつげエクステンション用人工毛に対する把持時の撓み量と保持性が一度の把持本数に係り無く極めて良好となると共に前記把持部把持面を長さ２．０〜１０．０ｍｍ、前記把持部の幅０．２〜２．０ｍｍ、厚さ０．１〜１．０ｍｍと適切にしたことにより地まつげにまつげエクステンション用人工毛を装着する施術時のピンセットの操作性も向上している。【００１１】  また本発明のまつげエクステンション用人工毛の把持用の金属製もしくは硬質樹脂製のピンセットは、前記把持部把持面等が好ましい長さ、把持部が好ましい幅、厚さの直線状もしくは湾曲状で対向する平坦な把持部把持面を有し、かつ前記把持部が弾性係数が５〜２０００ＭＰａで前記把持部把持面での被膜厚さが１０〜３０μｍであり且つ前記把持部把持面長さより長く軟質材被膜により被覆されていると共に、前記把持部の把持部側面に深さ０．２〜０．７ｍｍの把持部側面凹部及び高さ０．２〜０．７ｍｍの把持部側面凸部のいずれか又は双方を設け、さらに把持部背面に深さ０．２〜０．４ｍｍの把持部背面凹部と高さ０．２〜０．７ｍｍの把持部背面凸部のいずれか又は双方を設け、また把持部周縁に深さ０．２〜０．７ｍｍの条状もしくは環状の把持部周縁溝部を設け、さらにまた把持部把持面から把持部背面に貫通する直径０．２〜１．５ｍｍの把持部貫通孔を前記軟質材被膜に対する係止部として設けたことにより、地まつげにまつげエクステンション用人工毛を装着する施術作業中及び施術作業終了後にピンセットの把持部先端及びその周辺部に付着した被把持物又はその一部或いは接着剤などの残留物質を溶剤などからなる除去剤を使用しての除去作業を実施するが、これ等残留物質の付着が強固な場合は払い拭い動作を伴うことが多いと共に長期に亘る除去剤の使用と払い拭い動作を伴う除去作業の繰り返しても前記係止部の存在により被覆されている軟質材被膜がピンセットの把持部先端付近の表面より剥離して移動することが無く長期に亘りまつげエクステンション用人工毛を安定して把持し施術することが出来る。
【図面の簡単な説明】
【００１２】
【図１】  本発明に係るピンセットの一実施例の正面図である。
【図２】  本発明に係るピンセットの一実施例の平面図である。
【図３】  本発明に係るピンセットの一実施例の先端の斜視図である。
【図４】  図３に示すピンセット先端の把持部のＡ−Ａ断面図である。
【図５】  本発明に係るピンセットの第１実施例を示し、把持部によりまつげエクステンション用人工毛を把持した状態の部分平面図である。
【図６】  図５に示すまつげエクステンション用人工毛を把持した把持部のＢ−Ｂ断面図である。
【図７】  図６に示すまつげエクステンション用人工毛を把持した把持部のＣ−Ｃ断面の、一部拡大断面図である。
【図８】  本発明に係るピンセットの第２実施例の把持部先端を示し、把持部側面に把持部側面凹部を設けた斜視図である。
【図９】  本発明に係るピンセットの第３実施例の把持部先端を示し、把持部側面に把持部側面凸部を設けた斜視図である。
【図１０】  本発明に係るピンセットの第４実施例の把持部先端を示し、把持部背面に把持部背面凹部を設けた斜視図である。
【図１１】  本発明に係るピンセットの第５実施例の把持部先端を示し、把持部背面に把持部背面凸部を設けた斜視図である。
【図１２】  本発明に係るピンセットの第６実施例の把持部先端を示し、把持部背面に把持部背面凸部を連続させて多数設けた斜視図である。
【図１３ａ】  本発明に係るピンセットの第７実施例の把持部先端を示し、把持部周縁に把持部周縁溝部を設けた斜視図である。
【図１３ｂ】  図１３ａに示す把持部周縁に把持部周縁溝部を設けたピンセットのＤ部拡大部分断面図である。
【図１４】  本発明に係るピンセットの第８実施例の把持部先端を示し、把持部把持面に貫通孔を設けた斜視図である。
【図１５】  従来技術を示すピンセットの先端部の斜視図である。
【発明を実施するための形態】
【実施例】
【００１３】  以下、本発明に係るまつげエクステンション用人工毛の把持用ピンセットを、各実施の形態に基づき、図面を参照して詳細に説明する。【００１４】［装着の形態］
本発明に係るまつげエクステンション用人工毛７の把持用ピンセット１の第１の実施例にあっては、図１、図２に示すように一端が二枚の操作部３が固定された連結部２を形成し前記操作部３の他端側がアーム部４を介して先端側の把持部５に連なり、前記アーム部４より先端側に連接された前記把持部５は把持部根本５−２から把持部先端５−１にかけて湾曲した把持部把持面５−３、把持部背面５−５、把持部側面５−４よりなると共に前記把持部５の前記把持部先端５−１から前記アーム部４にかけての前記把持部把持面を弾性係数が５〜２０００ＭＰａの軟質材被膜を被覆し設けている。なおピンセットの材質は特に限定しないが金属製である場合ステンレス鋼、チタン及びその合金、銅合金などピンセットとして一般に広く使用される金属で良く、また樹脂製の場合は硬質な樹脂やカーボンやアラミドなどの長繊維や短繊維、ナノファイバーを含有し強化され剛性の向上した硬質樹脂などが好ましい。【００１５】  図３に前記把持部５の前記把持部把持面５−３付近の拡大図を示すが前記把持部把持面の長さは２．０〜１０．０ｍｍが好ましく、２．０ｍｍ未満ではで短すぎてまつげエクステンション用人工毛の把持がしずらくなると共に地まつげへの装着施術がし難くなり、また１０．０ｍｍを越えても作業性向上への寄与に大差はなく、前記把持部先端５−１から前記アーム部４にかけて長さＬにわたり、好ましくは前記把持部把持面長さより長くにわたり前記軟質材被膜を被覆し設けている。
前記把持部５のＡ−Ａ拡大断面図を図４として示すが、前記把持部５の幅、即ち把持部把持面５−３の幅Ｗは０．２〜２．０ｍｍが好ましく、０．２ｍｍ未満では細すぎてまつげエクステンション用人工毛に対する把持性が劣り、２．０ｍｍを超えては多数の地まつげを掻き分けてのまつげエクステンション用人工毛の装着施術時に瞼と干渉し易くなり作業性が悪化する、また前記把持部５の厚さＴは０．１〜１．０ｍｍが好ましく、０．１ｍｍ未満では薄すぎて把持力や外力（トレイ等の施術用器具への当接）により変形し易く、１．０ｍｍを超えると多数の地まつげを掻き分けてのまつげエクステンション用人工毛の装着施術時に隣接する地まつげと干渉し易くなり作業性が悪化する。
前記把持部把持面を被覆する軟質材被膜は弾性係数が５〜２０００ＭＰａで把持面での被膜厚さが１０〜３０μｍあるが、軟質材被膜の弾性係数が５〜２０００ＭＰａが好ましい理由は５ＭＰａ未満ではまつげエクステンション用人工毛の把持時に軟質材被膜が撓み易い被膜となって撓み過ぎるためこの撓み過ぎを防止するためであり、また２０００ＭＰａを越えると撓み難い被膜となり撓み量が不足してまつげエクステンション用人工毛表面に対する軟質材被膜の接触面積が不足するためにこの軟質材被膜の接触面積が不足するのを防止するためであり、また軟質材被膜の把持面での好ましい被膜厚さが１０〜３０μｍである理由は被膜厚さが１０μｍ未満では径が２００μｍ程度の太いまつげエクステンション用人工毛に対しては変形量が追随できず把持し難くいためこの把持し難さを避けるためであり、被膜厚さが３０μｍを越えると径が５０μｍ程度の細いまつげエクステンション用人工毛に対して軟質材被膜の変形量が小さ（少な）いため把持力が正確に伝播しずらく把持し難くなることを防止するためであり、即ち径５０〜２００μｍ程度のまつげエクステンション用人工毛に対する把持時の軟質材被膜の撓み量と保持性が例え一度の把持本数が多く多数本であっても極めて良好となるためである。また軟質材被膜用の材質としてはゴム、シリコンゴム、フッ素ゴム、プリエチレン、ポリ塩化ビニル、ナイロン（ポリアミド）、ウレタン等の樹脂を弾性係数が５〜２０００ＭＰａとなるよう調整して使用する。なお把持部５に設ける軟質材被膜に対する係止部は追って詳述するので省く。【００１６】  本発明に係るまつげエクステンション用人工毛７の把持用ピンセット１の第２の実施例にあっては図５に示す軟質材被膜６が被覆された直線的先細り状把持部５にてまつげエクステンション用人工毛７が把持された状態を示し、図６は図５の状把持部５により把持されたまつげエクステンション用人工毛７の軸心に沿うＢ−Ｂ断面図で切断した断面図であり把持部把持面５−３側の軟質材被膜６を撓ませながらまつげエクステンション用人工毛７を把持している状態を示し、図７は図６のＣ−Ｃ断面の部分拡大断面図であり把持部把持面５−３側の軟質材被膜６がまつげエクステンション用人工毛７の表面を包むように広い接触面積を有して接触しながら把持している状態を示す。なお把持部５に設ける軟質材被膜に対する係止部は追って詳述するので省く。【００１７】本発明に係るまつげエクステンション用人工毛７の把持用ピンセット１の第３実施例を図８に示すが、把持部５の把持部側面５−４の上下に断面円弧状で深さ０．２〜０．７ｍｍの把持部側面凹部５−４ａを前記把持部側面５−４の全厚さに亘り各々２個所設けているが、把持部側面凹部の深さは０．２ｍｍ未満では施術作業中及び施術作業終了後のピンセット１の把持部先端５−１及びその周辺部に付着した被把持物又はその一部或いは接着剤などの残留物質を溶剤などからなる除去剤を使用しての除去作業を実施するに当たり、これ等残留物質の付着が強固な場合は払い拭い動作を伴うが長期に亘る除去剤の使用と払い拭い動作を伴う除去作業の繰り返しにより被覆されている軟質材被膜がピンセットの把持部先端付近の表面より剥離して移動する��とを防止する係止効果が乏しく長期に亘りまつげエクステンション用人工毛７を安定して把持し施術することが出来ないことが危惧され、一方、０．７ｍｍを越えても係止効果の向上に大差はない。【００１８】本発明に係るまつげエクステンション用人工毛７の把持用ピンセット１の第４実施例を図９に示すが、把持部５の把持部側面５−４の上下に断面直角三角形状で高さ０．２〜０．７ｍｍの把持部側面凸部５−４ｂを前記把持部側面５−４の全厚さに亘り各々２個所設けているが、把持部側面凸部の高さは０．２ｍｍ未満では施術作業中及び施術作業終了後のピンセット１の把持部先端５−１及びその周辺部に付着した被把持物又はその一部或いは接着剤などの残留物質を溶剤などからなる除去剤を使用しての除去作業を実施するに当たり、これ等残留物質の付着が強固な場合は払い拭い動作を伴うが長期に亘る除去剤の使用と払い拭い動作を伴う除去作業の繰り返しにより被覆されている軟質材被膜がピンセット把持部先端の表面より剥離して移動することを防止する係止効果が乏しく長期に亘りまつげエクステンション用人工毛７を安定して把持し施術することが出来ないことが危惧され、一方、０．７ｍｍを越えても係止効果の向上に大差はない。【００１９】本発明に係るまつげエクステンション用人工毛７の把持用ピンセット１の第５実施例を図１０に示すが、把持部５の把持部背面５−５に矩形で深さｄが０．２〜０．７ｍｍで幅が０．５ｍｍ以上の把持部背面凹部５−５ａ、把持部背面５−５の全幅に亘る深さ０．２〜０．７ｍｍの把持部背面凹部５‐５ａ′を各々１個所設けているが、幅が０．５ｍｍ未満あるいは把持部背面からの深さは０．２ｍｍ未満では施術作業中及び施術作業終了後のピンセット１の把持部先端５−１及びその周辺部に付着した被把持物又はその一部或いは接着剤などの残留物質を溶剤などからなる除去剤を使用しての除去作業を実施するに当たり、これ等残留物質の付着が強固な場合は払い拭い動作を伴うが長期に亘る除去剤の使用と払い拭い動作を伴う除去作業の繰り返しにより被覆されている軟質材被膜がピンセットの把持部先端付近の表面より剥離して移動することを防止する係止効果が乏しく長期に亘りまつげエクステンション用人工毛７を安定して把持し施術することが出来ないことが危惧され、一方、０．７ｍｍを越えても係止効果の向上に大差はない。【００２０】本発明に係るまつげエクステンション用人工毛７の把持用ピンセット１の第６実施例を図１１に示すが、把持部５の把持部背面５−５に断面直角三角形状で高さ０．２〜０．７ｍｍで幅が０．５ｍｍ以上の把持部背面凸部５−５ｂ、把持部背面５−５の全幅に亘る深さ０．２〜０．７ｍｍの把持部背面凸部５‐５ｂ′を各々１個所設けているが、幅が０．５ｍｍ未満あるいは把持部背面からの高さは０．２ｍｍ未満では施術作業中及び施術作業終了後のピンセット１の把持部先端５−１及びその周辺部に付着した被把持物又はその一部或いは接着剤などの残留物質を溶剤などからなる除去剤を使用しての除去作業を実施するに当たり、これ等残留物質の付着が強固な場合は払い拭い動作を伴うが長期に亘る除去剤の使用と払い拭い動作を伴う除去作業の繰り返しにより被覆されている軟質材被膜がピ��セットの把持部先端付近の表面より剥離して移動することを防止する係止効果が乏しく長期に亘りまつげエクステンション用人工毛７を安定して把持し施術することが出来ないことが危惧され、一方、０．７ｍｍを越えても係止効果の向上に大差はない。【００２１】本発明に係るまつげエクステンション用人工毛７の把持用ピンセット１の第７実施例を図１２に示すが、把持部５の把持部背面５−５に断面角三角形状で高さ０．２〜０．７ｍｍの把持部背面凸部５−５ｃを把持部５の長さ方向に連続して設けているが、把持部背面からの高さは０．２ｍｍ未満では施術作業中及び施術作業終了後のピンセット１の把持部先端５−１及びその周辺部に付着した被把持物又はその一部或いは接着剤などの残留物質を溶剤などからなる除去剤を使用しての除去作業を実施するに当たり、これ等残留物質の付着が強固な場合は払い拭い動作を伴うが長期に亘る除去剤の使用と払い拭い動作を伴う除去作業の繰り返しにより被覆されている軟質材被膜がピンセットの把持部先端付近の表面より剥離して移動することを防止する係止効果が乏しく長期に亘りまつげエクステンション用人工毛７を安定して把持し施術することが出来ないことが危惧され、一方、０．７ｍｍを越えても係止効果の向上に大差はない。【００２２】本発明に係るまつげエクステンション用人工毛７の把持用ピンセット１の第８実施例を図１３ａ、図１３ｂに示すが、把持部５の周縁に断面台形状で深さ０．２〜０．７ｍｍの把持部周縁溝部５−６を把持部５の表面に１本（図示せず）もしくは環状に１条設けているが、把持部５の表面からの深さは０．２ｍｍ未満では施術作業中及び施術作業終了後のピンセット１の把持部先端５−１及びその周辺部に付着した被把持物又はその一部或いは接着剤などの残留物質を溶剤などからなる除去剤を使用しての除去作業を実施するに当たり、これ等残留物質の付着が強固な場合は払い拭い動作を伴うが長期に亘る除去剤の使用と払い拭い動作を伴う除去作業の繰り返しにより被覆されている軟質材被膜がピンセットの把持部先端付近の表面より剥離して移動することを防止する係止効果が乏しく長期に亘りまつげエクステンション用人工毛７を安定して把持し施術することが出来ないことが危惧され、一方、０．７ｍｍを越えても係止効果の向上に大差はない。【００２３】本発明に係るまつげエクステンション用人工毛７の把持用ピンセット１の第９実施例を図１４に示すが、把持部５の把持部把持面５−３から把持部背面５−５に亘り直径０．２〜１．５ｍｍの把持部貫通孔５−７を複数設けているが、この複数の把持部貫通孔５−７の直径が０．２ｍｍ未満ではが施術作業中及び施術作業終了後のピンセット１の把持部先端５−１及びその周辺部に付着した被把持物又はその一部或いは接着剤などの残留物質を溶剤などからなる除去剤を使用しての除去作業を実施するに当たり、これ等残留物質の付着が強固な場合は払い拭い動作を伴うが長期に亘る除去剤の使用と払い拭い動作を伴う除去作業の繰り返しにより被覆されている軟質材被膜がピンセットの把持部先端付近の表面より剥離して移動することを防止する係止効果が得られて長期に亘りまつげエクステンション用人工毛７を安定して把持し施術することが出��ないことが危惧され、一方、１．５ｍｍを越えても係止効果の向上に大差はないと共に、設ける個数にもよるが把持部把持面５−３の強度・剛性が低下して把持性の低下が危惧される。
【産業上の利用可能性】
【００２４】  本発明に係るまつげエクステンション用人工毛を把持する金属製又は硬質樹脂製のピンセットは、把持部把持面が好ましい長さ、把持部が好ましい幅、厚さの直線状もしくは湾曲状で対向する平坦な把持部把持面を有し、かつ前記把持部が弾性係数が５〜２０００ＭＰａで把持面での被膜厚さが１０〜３０μｍの軟質材被膜で前記把持部把持面長さより好ましくは長く被覆されて且つ前記把持部が前記軟質材被膜に対する係止部を有していることにより地まつげにまつげエクステンション用人工毛を装着する施術時のピンセットの操作性も向上し被覆されている軟質材被膜がピンセットの把持部先端付近の表面より剥離して移動することが無く長期に亘りまつげエクステンション用人工毛を安定して把持し施術することが出来る等の優位性を有しており、エクステンションを施す専門店等において広く利用されるものであり、産業上利用可能性を有している。
【符号の説明】
【００２５】１    ピンセット
２    連結部
３    操作部
４    アーム部
５    把持部
５−１    把持部先端
５−２    把持部根本
５−３    把持部把持面
５−４    把持部側面
５−４ａ  把持部側面凹部
５−４ｂ  把持部側面凸部
５−５    把持部背面
５−５ａ  把持部背面凹部
５−５ｂ  把持部背面凸部
５−５ｃ  把持部背面凸部
５−６    把持部周縁溝部
５−７    把持部貫通孔
６    軟質材被膜
７    まつげエクステンション用人工毛
【図１】
2019014034.tif 000003
【図２】
2019014034.tif 000004
【図３】
2019014034.tif 000005
【図４】
2019014034.tif 000006
【図５】
2019014034.tif 000007
【図６】
2019014034.tif 000008
【図７】
2019014034.tif 000009
【図８】
2019014034.tif 000010
【図９】
2019014034.tif 000011
【図１０】
2019014034.tif 000012
【図１１】
2019014034.tif 000013
【図１２】
2019014034.tif 000014
【図１３ａ】
2019014034.tif 000015
【図１３ｂ】
2019014034.tif 000016
【図１４】
2019014034.tif 000017
【図１５】
2019014034.tif 000018